(57)【特許請求の範囲】
【請求項１】
回転軸に固定される円筒形の回転子コアと、
該回転子コアの軸方向に貫通して形成されるとともに、前記回転子コアの周方向に配設された複数の回転子スロットと、
該複数の回転子スロットに挿入され、周方向に形成される複数の磁極を構成する複数の永久磁石とを備え、
前記複数の磁極の各々は、一対の永久磁石を回転子コアの回転中心に向かってＶ字状に配置して構成され、
各磁極を構成する一対の永久磁石は、少なくとも一方の永久磁石が前記回転子コアの軸方向長さよりも長い軸方向長さを有し、前記回転子コアの軸方向長さよりも長い軸方向長さを有する永久磁石は、その軸方向端部が前記回転子コアの軸方向端面から突出するよう配置されており、
前記一対の永久磁石のうち前記回転子コアの軸方向長さよりも長い軸方向長さを有する永久磁石は、複数の磁極間において、前記回転子コアの回転方向に対して同じ方向に位置していることを特徴とする永久磁石同期電動機の回転子。
【請求項２】
前記回転子コアの軸方向長さよりも長い軸方向長さを有する永久磁石は、その軸方向一端部のみが前記回転子コアの軸方向一端面のみから突出するよう配置されていることを特徴とする請求項１に記載の永久磁石同期電動機の回転子。
【請求項３】
前記回転子コアの軸方向長さよりも長い軸方向長さを有する永久磁石は、その軸方向両端部が前記回転子コアの軸方向両端面から突出するよう配置されていることを特徴とする請求項１に記載の永久磁石同期電動機の回転子。
【請求項４】
前記回転子コアの軸方向長さよりも長い軸方向長さを有する永久磁石は、前記磁極を構成する一対の永久磁石のうちの一方の永久磁石であり、前記一対の永久磁石のうちの他方の永久磁石は前記回転子コアの軸方向長さと同一の軸方向長さを有することを特徴とする請求項１乃至３のうちいずれか一項に記載の永久磁石同期電動機の回転子。
【請求項５】
請求項１乃至４のうちいずれか一項に記載の永久磁石同期電動機の回転子を備えていることを特徴とする永久磁石同期電動機。
【請求項６】
請求項５に記載の永久磁石同期電動機と、該永久磁石同期電動機を制御する制御回路を構成する複数の電子部品が実装された回路基板と、前記永久磁石同期電動機及び前記回路基板を収納する筐体とを備えることを特徴とする永久磁石同期電動機装置。
【請求項７】
前記回転子コアの軸方向一端面のみから突出する前記永久磁石の軸方向一端部は、前記筐体内に収納された前記回路基板側に配置されていることを特徴とする請求項６に記載の永久磁石同期電動機装置。
【請求項８】
前記回転子コアの軸方向一端面のみから突出する前記永久磁石の軸方向一端部は、前記筐体内に収納された前記回路基板側と反対側に配置されていることを特徴とする請求項６に記載の永久磁石同期電動機装置。
【請求項９】
前記回転子コアの軸方向両端面から突出する前記永久磁石の軸方向両端部は、前記筐体内に収納された前記回路基板側及び前記回路基板側と反対側に配置されていることを特徴とする請求項６に記載の永久磁石同期電動機装置。
【発明の詳細な説明】
【技術分野】
【０００１】
本発明は、永久磁石同期電動機の回転子、永久磁石同期電動機及び永久磁石同期電動機装置に関する。
【背景技術】
【０００２】
一般に、電動機は、全閉自冷形と呼ばれる一部の電動機を除き、冷却用のファンを設けている。
従来の電動機として、例えば、特許文献１に示すものが知られている。特許文献１に示す電動機は、軸方向の両端が閉鎖された筐体と、筐体内に設けられた固定子と、固定子の内周側に配置され、固定子と同軸に設けられた回転軸を有する回転子と、筐体の軸方向の一方の端部に取り付けられたファンケースとを備えている。そして、回転軸のファンケースと反対側の端部には、駆動対象物や回転軸を駆動する駆動伝達装置が接続され、その一方、回転軸のファンケース側の端部には、冷却用のファンが取り付けられ、この冷却用のファンがファンケース内に収容されている。この冷却用のファンは、電動機を筐体の外部から冷却するものである。
【０００３】
しかしながら、この特許文献１に示された電動機においては、冷却用のファン及びファンケースが必要であり、電動機の全長が長くなってしまうという、問題がある。また、冷却用のファンを回転軸に固定するための構造が必要となり、部品点数が多くなるとともに、製造工数も多く、製造コストが高くなってしまう、という問題がある。
また、従来の他の電動機として、例えば、特許文献２に示すものも知られている。この特許文献２に示す電動機は、密閉空間内に設けられる固定子及び回転子を備えた電動機であって、回転子の長手方向の両側を連通する通風路とハウジングに設けられた通風路とを有し、ハウジング内に風を循環させるために回転子端面に軸流ファンを備え、密閉空間内の空気の循環を可能な構成としている。
【０００４】
しかしながら、特許文献２に示す電動機は誘導電動機であって永久磁石同期電動機ではない。このため、特許文献２に示す誘導電動機の構造を永久磁石同期電動機に適用して電動機内部の空気を攪拌することは適切ではない。特に、誘導電動機の場合には、回転子から発生する熱が電動機の中で最も高温になり、二次導体及び回転子鉄心の損失が大きいため、回転子端面に軸流ファンを備え、密閉空間内において回転子の長手方向の両側を連通する通風路とハウジングに設けられた通風路とに風を循環させて、特に回転子及び二次導体から熱を奪うようにしている。永久磁石同期電動機の場合には、誘導電動機と異なり、回転子の発熱はあまり大きくなく、特に、固定子巻線近傍が高温になることから、特許文献２に示す誘導電動機の構造を永久磁石同期電動機に適用して密閉空間内の空気の攪拌を行うことは適切ではない。
【０００５】
また、従来の他の電動機装置として、例えば、特許文献３に示すものも知られている。特許文献３に示す電動機装置は、電動機を制御する制御装置を内蔵した電動機装置であり、回転子の軸方向の両端面に冷却ファンが固定されている。そして、電動機装置には、冷却ファンによる第一の冷却風が通る第一の冷却風通路と、冷却ファンによる第二の冷却風が通る第二の冷却風通路とが形成されており、それら第一の冷却風及び第二の冷却風によってインバータ装置（制御装置）を冷却するようにしている。
しかしながら、特許文献３に示す電動機にあっても、冷却ファンを回転子に固定するための構造が必要となり、部品点数が多くなるとともに、製造工数も多く、製造コストが高くなってしまう、という不都合がある。
【先行技術文献】
【特許文献】
【０００６】
【特許文献１】特開２０１３−１７２７６号公報
【特許文献２】特開２０１２−２０００６７号公報
【特許文献３】特開２０１３−２５５２９６号公報
【発明の概要】
【発明が解決しようとする課題】
【０００７】
従って、本発明は、上述の問題を解決するためになされたものであり、その目的は、冷却ファンなどの特別な装置を設けなくても、冷却ファンを設けた場合と同等の機能を有する永久磁石同期電動機の回転子、永久磁石同期電動機及び永久磁石同期電動機装置を提供することにある。
【課題を解決するための手段】
【０００８】
上記目的を達成するために、本発明のある態様は、回転軸に固定される円筒形の回転子コアと、回転子コアの軸方向に貫通して形成されるとともに、回転子コアの周方向に配設された複数の回転子スロットと、複数の回転子スロットに挿入され、周方向に形成される複数の磁極を構成する複数の永久磁石とを備え、前記複数の磁極の各々は、一対の永久磁石を回転子コアの回転中心に向かってＶ字状に配置して構成され、各磁極を構成する一対の永久磁石は、少なくとも一方の永久磁石が前記回転子コアの軸方向長さよりも長い軸方向長さを有し、回転子コアの軸方向長さよりも長い軸方向長さを有する永久磁石は、その軸方向端部が前記回転子コアの軸方向端面から突出するよう配置されており、一対の永久磁石のうち前記回転子コアの軸方向長さよりも長い軸方向長さを有する永久磁石は、複数の磁極間において、回転子コアの回転方向に対して同じ方向に位置している永久磁石同期電動機の回転子を要旨とする。
【０００９】
また、本発明の別の態様は、前述の永久磁石同期電動機の回転子を備えている永久磁石同期電動機を要旨とする。
更に、本発明の別の態様は、前述の永久磁石同期電動機と、永久磁石同期電動機を制御する制御回路を構成する複数の電子部品が実装された回路基板と、永久磁石同期電動機及び回路基板を収納する筐体とを備える永久磁石同期電動機装置を要旨とする。
【発明の効果】
【００１０】
本発明に係る永久磁石同期電動機の回転子、永久磁石同期電動機及び永久磁石同期電動機装置によれば、冷却ファンなどの特別な装置を設けなくても、冷却ファンを設けた場合と同等の機能を有する永久磁石同期電動機の回転子、永久磁石同期電動機及び永久磁石同期電動機装置を提供できる。
【図面の簡単な説明】
【００１１】
【図１】本発明の第１実施形態に係る永久磁石同期電動機装置を模式的に示す断面図である。
【図２】図１に示す永久磁石同期電動機装置に用いられる永久磁石同期電動機の一極分の構造を示す図である。
【図３】図１に示す永久磁石同期電動機装置に用いられる永久磁石同期電動機の回転子の周方向の一カ所を軸方向に切断して直線状に開いた形状を、回転子の径方向外側から見た図である。
【図４】永久磁石同期電動機装置において、各磁極を構成する一対の永久磁石が回転子コアの軸方向長さと同一の軸方向長さを有し、それぞれの永久磁石の軸方向端部が回転子コアの軸方向端面に一致するように配置されている場合の発熱状態を模式的に示す断面図である。
【図５】本発明の第２実施形態に係る永久磁石同期電動機装置を模式的に示す断面図である。
【図６】本発明の第３実施形態に係る永久磁石同期電動機装置を模式的に示す断面図である。
【図７】本発明の第４実施形態に係る永久磁石同期電動機装置を模式的に示す断面図である。
【図８】図７に示す永久磁石同期電動機装置に用いられる回転子の一極分の構造を示す図である。
【発明を実施するための形態】
【００１２】
以下、本発明の実施形態について図面を参照して説明する。
（第１実施形態）
本発明の第１実施形態に係る永久磁石同期電動機装置は、図１乃至図３に示されており、永久磁石同期電動機装置１は、永久磁石同期電動機（以下、単に電動機という）１０と、電動機１０を制御する制御回路を構成する複数の電子部品３１が実装された回路基板３０と、電動機１０及び回路基板３０を収納する筐体４０とを備えている。
ここで、電動機１０は、固定子１１と、この固定子１１の内周側に所定のエアギャップを設けて対向している回転子１２とを備えている。回転子１２は、回転軸１３に固定されている。
【００１３】
固定子１１は、複数枚の固定子用鋼板を軸方向に積層してなる中空円筒状の固定子コア１４と、この固定子コア１４の内周面に円周方向に等間隔に形成され、軸方向に貫通している複数の固定子スロット１５と、これら固定子スロット１５の間に形成された複数のティース１６とを備えている。そして、各ティース１６には、固定子コイル１７が巻かれて装着されている。
また、回転子１２は、回転軸１３に固定される、複数枚の電磁鋼板を軸方向に積層してなる回転子コア１８と、回転子コア１８の軸方向に貫通して形成されるとともに、周方向に配設された複数の回転子スロット１９ａ，１９ｂと、複数の永久磁石２１ａ，２１ｂとを備えている。
【００１４】
複数の永久磁石２１ａ，２１ｂは、図２及び図３に示すように、複数の回転子スロット１９ａ，１９ｂに挿入され、回転子コア１８の周方向に形成される複数の磁極２０を構成している。周方向に隣り合う磁極２０同士は、互いに異極性となっている。各永久磁石２１ａ，２１ｂは、希土類磁石で構成されている。
そして、各磁極２０は、図２に示すように、一対の永久磁石２１ａ，２１ｂを回転子コアの回転中心に向かってＶ字状に配置して構成されている。
また、各磁極２０を構成する一対の永久磁石２１ａ，２１ｂは、図３に示すように、一方の永久磁石２１ａが、回転子コア１８の軸方向長さよりも長い軸方向長さを有し、他方の永久磁石２１ｂが、回転子コアの軸方向長さと同一の軸方向長さを有する。そして、一方の永久磁石２１ａは、軸方向一端部２１ｃのみが回転子コア１８の軸方向一端面１８ａから突出し、軸方向他端部が回転子コア１８の軸方向他端面１８ｂと面一になるように配置されている。また、他方の永久磁石２１ｂは、軸方向一端部及び軸方向他端部が回転子コア１８の軸方向一端面１８ａ及び軸方向他端面１８ｂと面一になるように配置されている。そして、一方の永久磁石２１ａは、複数の磁極２０間において、回転子コア１８の回転方向Ｒ（図２参照）に対して同じ方向（図２においては上方）に位置している。
【００１５】
また、回転子コア１８の軸方向一端面１８ａのみから突出する一方の永久磁石２１ａの軸方向一端部２１ｃは、図１に示すように、筐体４０内に収納された回路基板３０側に配置されている。
また、複数の電子部品３１が実装された回路基板３０は、インバータ機能を有し、電動機１０の回転速度の制御等を行うものであり、筐体４０を構成する後述のブラケット４２に固定されている。
更に、筐体４０は、図１に示すように、電動機１０の固定子コア１４が接触した形で電動機１０を内部に収納するフレーム４１と、回路基板３０を内部に収納するブラケット４２とを備えている。これらフレーム４１及びブラケット４２は、外周部で接合されて、電動機１０及び複数の電子部品３１を実装した回路基板３０を収納する内部を密閉空間としている。フレーム４１及びブラケット４２の材質は、熱伝導性がよく、また加工が容易なアルミ材が好適である。そして、電動機１０の回転軸１３は、その先端（図１における左端）が第１軸受４３によって筐体４０のブラケット４２に回転可能に支持され、後端側が第２軸受４４によって筐体４０のフレーム４１に回転可能に支持されている。回路基板３０は、前述の密閉空間において回転軸１３の左端側に配置され、電動機１０は、前述の密閉空間において回転軸１３の略中央部に配置される。回転軸１３の後端部には、図示しない駆動対象物が接続される。
【００１６】
次に、第１実施形態の永久磁石同期電動機装置１の動作を説明する。
固定子コイル１７が励磁されると、固定子１１内に回転磁界が発生し、回転子１２がこの回転磁界と同じ速度で回転する。これにより、回転軸１３が回転し、回転軸１３の後端に接続された駆動対象物が回転する。
ここで、固定子コイル１７が励磁されるときには、図４に示すように、回路基板３０に実装された複数の電子部品３１のうち特にインバータ素子などの発熱部品が矢印ｈ２で示すように発熱し、また、固定子コイル１７も矢印ｈ１で示すように発熱する。発熱部品が発熱すると、発熱部品自身が温度上昇するが、その熱がブラケット４２を介して外部に放熱されるため、発熱部品自身の温度上昇はある程度抑制される。また、固定子コイル１７が発熱すると、固定子コイル１７自身が温度上昇するが、その熱が固定子コア１４及びフレーム４１を介して外部に放熱されるため、固定子コイル１７自身の温度上昇はある程度抑制される。
【００１７】
しかし、図４に示すように、各磁極２０を構成する一対の永久磁石２１ａ，２１ｂが回転子コア１８の軸方向長さと同一の軸方向長さを有し、それぞれの永久磁石２１ａ，２１ｂの軸方向端部が回転子コア１８の軸方向端面に一致するように配置されている場合には、回転子１２が回転しても密閉空間内の空気を攪拌することができない。このため、発熱部品の発熱によって発熱部品周囲の温度が上昇し、発熱部品と発熱部品の周囲にある電解コンデンサなどの電子部品との間及び発熱部品の周囲とその周囲以外の密閉空間内との間に温度差が生じてしまう。発熱部品と発熱部品の周囲にある電解コンデンサなどの電子部品との間に温度差が生じてしまうと、これら部品の寿命を精度よく把握することが困難となる。また、密閉空間内の空気を攪拌できないので、固定子コイル１７の周囲の温度も上昇し、固定子コイル１７の固定子コア１４と接していない部分の温度が上昇し、固定子コイル１７の固定子コア１４内部と固定子コア１４外部との間及び固定子コイル１７の周囲とその周囲以外の密閉空間内との間に温度差が生じてしまうことになる。固定子コイル１７の固定子コア１４内部と固定子コア１４外部との間に温度差が生じると、固定子コイル１７の固定子コア１４内部と固定子コア１４外部との間に経年変化の格差が生じることになる。
【００１８】
これに対して、第１実施形態の永久磁石同期電動機装置１の場合には、一方の永久磁石２１ａは、軸方向一端部２１ｃが回転子コア１８の軸方向一端面１８ａから突出し、かつ、一方の永久磁石２１ａの軸方向一端部２１ｃは、筐体４０内に収納された回路基板３０側に配置されている。このため、回転子１２が回転すると、回転子コア１８の軸方向一端面１８ａから突出している一方の永久磁石２１ａの軸方向一端部２１ｃも回転し、これにより、筐体４０の密閉空間内において空気が適切に攪拌されて、固定子コイル１７の回路基板３０側の固定子コア１４外部近傍に図１の矢印Ａで示す空気の対流が発生することになる。また、筐体４０の密閉空間内において、回路基板３０に実装されている発熱部品の周囲に図１の矢印Ｂで示す空気の対流が発生することになる。
【００１９】
固定子コイル１７の固定子コア１４外部近傍に図１の矢印Ａで示す空気の対流が発生すると、固定子コイル１７の固定子コア１４外部近傍の熱の停滞が回避され、固定子コイル１７の固定子コア１４内部と固定子コア１４外部との間及び固定子コイル１７の周囲とその周囲以外の密閉空間内との間に温度差が生じることを回避することができるとともに、固定子コイル１７を冷却することができる。
また、発熱部品の周囲に図１の矢印Ｂで示す空気の対流が発生すると、発熱部品の周囲の熱の停滞が回避され、発熱部品周囲の温度上昇が回避され、発熱部品の周囲にある電解コンデンサなどの電子部品の温度上昇も回避され、発熱部品と発熱部品の周囲にある電解コンデンサなどの電子部品との間及び発熱部品の周囲とその周囲以外の密閉空間内との間に温度差が生じることを回避することができるとともに、発熱部品を冷却することができる。
【００２０】
また、密閉空間内で対流する空気は、筐体４０内の全般にわたるので、筐体４０を構成するフレーム４１及びブラケット４２の全体から有効に熱を外部へ放散させることができる。
このため、第１実施形態の永久磁石同期電動機装置１においては、回転子コア１８の軸方向一端面１８ａから突出している一方の永久磁石２１ａの軸方向一端部２１ｃが冷却ファンと同等の機能を持つので、冷却ファンなどの特別な装置を設けなくても、冷却ファンを設けた場合と同等の機能を有する永久磁石同期電動機装置１を提供することができる。これにより、製造コストの安価な永久磁石同期電動機装置１を提供できる。
【００２１】
また、筐体４０は、電動機１０を内部に収納するフレーム４１と、回路基板３０を内部に収納するブラケット４２とを備え、これらフレーム４１及びブラケット４２は、外周部で接合されて、電動機１０及び複数の電子部品３１を実装した回路基板３０を収納する内部を密閉空間としている。このため、回路基板３０及び電動機１０を防塵、防水のために樹脂などでモールドする必要はなく、製造コストを安価にすることができる。
なお、回転子コア１８の軸方向の一端面１８ａから突出している一方の永久磁石２１ａの軸方向一端部２１ｃの突出量は、大きければ大きいほど空気の対流を促進することができるので、大きい方が好ましい。一方、回転子１２の回転速度が速くなるに従い、風の流れは速くなり空気の対流を促進するので、回転子１２の回転速度を速くすることが好ましいが、回転子１２の回転速度を速くすると、騒音の問題が生じてくる。従って、回転子コア１８の軸方向一端面１８ａから突出している一方の永久磁石２１ａの軸方向一端部２１ｃの突出量を、回転子２の回転速度にあわせて調整することが好ましい。
【００２２】
（第２実施形態）
次に、本発明の第２実施形態に係る永久磁石同期電動機装置について、図５を参照して説明する。図５において、図１に示す部材と同一の部材については同一の符号を付し、その説明を省略することがある。
図５に示す本発明の第２実施形態に係る永久磁石同期電動機装置１は、第１実施形態の永久磁石同期電動機装置１と基本的構成は同様であり、永久磁石同期電動機（以下、単に電動機という）１０と、電動機１０を制御する制御回路を構成する複数の電子部品３１が実装された回路基板３０と、電動機１０及び回路基板３０を収納する筐体４０とを備えている。
そして、電動機１０は、固定子１１と、この固定子１１の内周側に所定のエアギャップを設けて対向している回転子１２とを備えている。回転子１２は、回転軸１３に固定されている。
【００２３】
ここで、回転子１２は、第１実施形態の永久磁石同期電動機装置１に用いられる回転子１２と同様に、回転軸１３に固定される、複数枚の電磁鋼板を軸方向に積層してなる回転子コア１８と、回転子コア１８の軸方向に貫通して形成されるとともに、周方向に配設された複数の回転子スロット１９ａ，１９ｂ（図２参照）と、複数の永久磁石２１ａ，２１ｂとを備えている。
複数の永久磁石２１ａ，２１ｂは、複数の回転子スロット１９ａ，１９ｂに挿入され、回転子コア１８の周方向に形成される複数の磁極２０を構成している。周方向に隣り合う磁極２０同士は、互いに異極性となっている。
【００２４】
そして、各磁極２０は、第１実施形態の永久磁石同期電動機装置１に用いられる回転子１２と同様に、一対の永久磁石２１ａ，２１ｂを回転子コア１８の回転中心に向かってＶ字状に配置して構成されている。
また、各磁極２０を構成する一対の永久磁石２１ａ，２１ｂは、一方の永久磁石２１ａが、回転子コア１８の軸方向長さよりも長い軸方向長さを有し、他方の永久磁石２１ｂが、回転子コアの軸方向長さと同一の軸方向長さを有する。そして、一方の永久磁石２１ａは、軸方向一端部２１ｃのみが回転子コア１８の軸方向一端面１８ａから突出し、軸方向他端部が回転子コア１８の軸方向他端面１８ｂと面一になるように配置されている。また、他方の永久磁石２１ｂは、軸方向一端部及び軸方向他端部が回転子コア１８の軸方向一端面１８ａ及び軸方向他端面１８ｂと面一になるように配置されている。そして、一方の永久磁石２１ａは、複数の磁極２０間において、回転子コア１８の回転方向Ｒ（図２参照）に対して同じ方向（図２においては上方）に位置している。
【００２５】
ここで、回転子コア１８の軸方向一端面１８ａのみから突出する一方の永久磁石２１ａの軸方向一端部２１ｃは、第１実施形態の永久磁石同期電動機装置１と異なり、図５に示すように、筐体４０内に収納された回路基板３０側と反対側に配置されている。
この第２実施形態の永久磁石同期電動機装置１によれば、一方の永久磁石２１ａは、軸方向一端部２１ｃが回転子コア１８の軸方向一端面１８ａから突出し、かつ、一方の永久磁石２１ａの軸方向一端部２１ｃは、筐体４０内に収納された回路基板３０側と反対側に配置されている。このため、回転子１２が回転すると、回転子コア１８の軸方向一端面１８ａから突出している一方の永久磁石２１ａの軸方向一端部２１ｃも回転し、これにより、筐体４０の密閉空間内において空気が適切に攪拌されて、固定子コイル１７の回路基板３０側と反対側の固定子コア１４外部近傍に図１の矢印Ｃで示す空気の対流が発生することになる。
【００２６】
固定子コイル１７の固定子コア１４外部近傍に図１の矢印Ｃで示す空気の対流が発生すると、固定子コイル１７の固定子コア１４外部近傍の熱の停滞が回避され、固定子コイル１７の固定子コア１４内部と固定子コア１４外部との間及び固定子コイル１７の周囲とその周囲以外の密閉空間内との間に温度差が生じることを回避することができるとともに、固定子コイル１７を冷却することができる。
また、密閉空間内で対流する空気は、筐体４０内の全般にわたるので、筐体４０を構成するフレーム４１及びブラケット４２の全体から有効に熱を外部へ放散させることができる。
このため、第２実施形態の永久磁石同期電動機装置１においても、回転子コア１８の軸方向一端面１８ａから突出している一方の永久磁石２１ａの軸方向一端部２１ｃが冷却ファンと同等の機能を持つので、冷却ファンなどの特別な装置を設けなくても、冷却ファンを設けた場合と同等の機能を有する永久磁石同期電動機装置１を提供することができる。
【００２７】
また、第３よりは永久磁石を安価に製造できる。
なお、回転子コア１８の軸方向一端面１８ａから突出している一方の永久磁石２１ａの軸方向一端部２１ｃの突出量は、第１実施形態の永久磁石２１ａの突出量と同様に、回転子１２の回転速度にあわせて調整することが好ましい。
また、筐体４０は、第１実施形態の筐体４０と同様に、電動機１０を内部に収納するフレーム４１と、回路基板３０を内部に収納するブラケット４２とを備え、これらフレーム４１及びブラケット４２は、外周部で接合されて、電動機１０及び複数の電子部品３１を実装した回路基板３０を収納する内部を密閉空間としている。このため、回路基板３０及び電動機１０を防塵、防水のために樹脂などでモールドする必要はなく、製造コストを安価にすることができる。
【００２８】
（第３実施形態）
次に、本発明の第３実施形態に係る永久磁石同期電動機装置について、図６を参照して説明する。図６において、図１に示す部材と同一の部材については同一の符号を付し、その説明を省略することがある。
図６に示す本発明の第３実施形態に係る永久磁石同期電動機装置１は、第１実施形態の永久磁石同期電動機装置１と基本的構成は同様であり、永久磁石同期電動機（以下、単に電動機という）１０と、電動機１０を制御する制御回路を構成する複数の電子部品３１が実装された回路基板３０と、電動機１０及び回路基板３０を収納する筐体４０とを備えている。
そして、電動機１０は、固定子１１と、この固定子１１の内周側に所定のエアギャップを設けて対向している回転子１２とを備えている。回転子１２は、回転軸１３に固定されている。
【００２９】
ここで、回転子１２は、第１実施形態の永久磁石同期電動機装置１に用いられる回転子１２と同様に、回転軸１３に固定される、複数枚の電磁鋼板を軸方向に積層してなる回転子コア１８と、回転子コア１８の軸方向に貫通して形成されるとともに、周方向に配設された複数の回転子スロット１９ａ，１９ｂ（図２参照）と、複数の永久磁石２１ａ，２１ｂとを備えている。
複数の永久磁石２１ａ，２１ｂは、複数の回転子スロット１９ａ，１９ｂに挿入され、回転子コア１８の周方向に形成される複数の磁極２０を構成している。周方向に隣り合う磁極２０同士は、互いに異極性となっている。
【００３０】
そして、各磁極２０は、第１実施形態の永久磁石同期電動機装置１に用いられる回転子１２と同様に、一対の永久磁石２１ａ，２１ｂを回転子コアの回転中心に向かってＶ字状に配置して構成されている。
また、各磁極２０を構成する一対の永久磁石２１ａ，２１ｂは、一方の永久磁石２１ａが、回転子コア１８の軸方向長さよりも長い軸方向長さを有し、他方の永久磁石２１ｂが、回転子コアの軸方向長さと同一の軸方向長さを有する。
ここで、一方の永久磁石２１ａは、第１実施形態の永久磁石同期電動機装置１と異なり、その軸方向両端部２１ｃ、２１ｄが回転子コア１８の軸方向両端面１８ａ，１８ｂから突出するよう配置されている。
【００３１】
他方の永久磁石２１ｂは、第１実施形態の永久磁石同期電動機装置１と同様に、軸方向一端部及び軸方向他端部が回転子コア１８の軸方向一端面１８ａ及び軸方向他端面１８ｂと面一になるように配置されている。そして、一方の永久磁石２１ａは、複数の磁極２０間において、回転子コア１８の回転方向Ｒ（図２参照）に対して同じ方向（図２においては上方）に位置している。
この第３実施形態の永久磁石同期電動機装置１によれば、一方の永久磁石２１ａは、その軸方向両端部２１ｃ、２１ｄが回転子コア１８の軸方向両端面１８ａ，１８ｂから突出するよう配置されている。そして、回転子コア１８の軸方向両端面１８ａ，１８ｂから突出する永久磁石２１ａの軸方向両端部２１ｃ、２１ｄは、筐体４０内に収納された回路基板３０側及び回路基板３０側と反対側に配置されている。このため、回転子１２が回転すると、回転子コア１８の軸方向両端面１８ａ，１８ｂから突出している一方の永久磁石２１ａの軸方向両端部２１ｃ，２１ｄも回転し、これにより、筐体４０の密閉空間内において空気が適切に攪拌されて、固定子コイル１７の回路基板３０側の固定子コア１４外部近傍に図６の矢印Ｄで示す空気の対流が発生し、また、固定子コイル１７の回路基板３０側と反対側の固定子コア１４外部近傍に図６の矢印Ｆで示す空気の対流が発生することになる。また、筐体４０の密閉空間内において、回路基板３０側の発熱部品の周囲に図６の矢印Ｅで示す空気の対流が発生することになる。
【００３２】
固定子コイル１７の固定子コア１４外部近傍に図６の矢印Ｄで示す空気の対流及び図６の矢印Ｆで示す空気の対流が発生すると、固定子コイル１７の固定子コア１４外部近傍の熱の停滞が回避され、固定子コイル１７の固定子コア１４内部と固定子コア１４外部との間及び固定子コイル１７の周囲とその周囲以外の密閉空間内との間に温度差が生じることを回避することができるとともに、固定子コイル１７を冷却することができる。
ここで、第３実施形態の永久磁石同期電動機装置１においては、固定子コイル１７の制御基板３０側の固定子コア１４外部近傍に図６の矢印Ｄで示す空気の対流が発生し、また、固定子コイル１７の制御基板３０側と反対側の固定子コア１４外部近傍に図６の矢印Ｆで示す空気の対流が発生する。このため、第３実施形態の永久磁石同期電動機装置１によれば、第１実施形態の永久磁石同期電動機装置１において、固定子コイル１７の回路基板３０側のみの固定子コア１４外部近傍に図１の矢印Ａで示す空気の対流が発生する場合や、固定子コイル１７の回路基板３０側と反対側のみの固定子コア１４外部近傍に図５の矢印Ｃで示す空気の対流が発生する場合と比べて、固定子コイル１７の冷却能力を高めることができる。
【００３３】
また、回路基板３０側の発熱部品の周囲に図１の矢印Ｂで示す空気の対流が発生すると、発熱部品の周囲の熱の停滞が回避され、発熱部品周囲の温度上昇が回避され、発熱部品の周囲にある電解コンデンサなどの電子部品の温度上昇も回避され、発熱部品と発熱部品の周囲にある電解コンデンサなどの電子部品との間及び発熱部品の周囲とその周囲以外の密閉空間内との間に温度差が生じることを回避することができるとともに、発熱部品を冷却することができる。
そして、密閉空間内で対流する空気は、筐体４０内の全般にわたるので、筐体４０を構成するフレーム４１及びブラケット４２の全体から有効に熱を外部へ放散させることができる。
このため、第３実施形態の永久磁石同期電動機装置１においては、回転子コア１８の軸方向両端面１８ａ，１８ｂから突出している一方の永久磁石２１ａの軸方向両端部２１ｃ、２１ｄが冷却ファンと同等の機能を持つので、冷却ファンなどの特別な装置を設けなくても、冷却ファンを設けた場合と同等の機能を有する永久磁石同期電動機装置１を提供することができる。これにより、製造コストの安価な永久磁石同期電動機装置１を提供できる。
【００３４】
なお、回転子コア１８の軸方向両端面１８ａ，１８ｂから突出している一方の永久磁石２１ａの軸方向両端部２１ｃ，２１ｄの突出量は、第１実施形態の永久磁石２１ａの突出量と同様に、回転子１２の回転速度にあわせて調整することが好ましい。
また、筐体４０は、第１実施形態の筐体４０と同様に、電動機１０を内部に収納するフレーム４１と、回路基板３０を内部に収納するブラケット４２とを備え、これらフレーム４１及びブラケット４２は、外周部で接合されて、電動機１０及び複数の電子部品３１を実装した回路基板３０を収納する内部を密閉空間としている。このため、回路基板３０及び電動機１０を防塵、防水のために樹脂などでモールドする必要はなく、製造コストを安価にすることができる。
【００３５】
（第４実施形態）
次に、本発明の第４実施形態に係る永久磁石同期電動機装置について、図７及び図８を参照して説明する。
図７及び図８に示す本発明の第３実施形態に係る永久磁石同期電動機装置１は、第１実施形態の永久磁石同期電動機装置１と基本的構成は同様であり、永久磁石同期電動機（以下、単に電動機という）１０と、電動機１０を制御する制御回路を構成する複数の電子部品３１が実装された回路基板３０と、電動機１０及び回路基板３０を収納する筐体４０とを備えている。
そして、電動機１０は、固定子１１と、この固定子１１の内周側に所定のエアギャップを設けて対向している回転子１２とを備えている。回転子１２は、回転軸１３に固定されている。
【００３６】
ここで、回転子１２は、第１実施形態の永久磁石同期電動機装置１に用いられる回転子１２と同様に、回転軸１３に固定される、複数枚の電磁鋼板を軸方向に積層してなる回転子コア１８と、回転子コア１８の軸方向に貫通して形成されるとともに、周方向に配設された複数の回転子スロット１９ａ，１９ｂ（図２参照）と、複数の永久磁石２１ａ，２１ｂとを備えている。
回転子コア１８は、第１実施形態の永久磁石同期電動機装置１に用いられる回転子１２の回転子コア１８と異なり、回転子コア１８の軸方向両端にある電磁鋼板に、図７及び図８に示すように、回転子コア１８の軸方向両端面１８ａ，１８ｂから突出するように一対の突起部２２ａ，２２ｂを折り曲げ形成してある。これら一対の突起部２２ａ，２２ｂは、回転子コア１８の軸方向両端にある電磁鋼板の、電動機１０の特性に影響しない箇所の一部に形成される。
【００３７】
複数の永久磁石２１ａ，２１ｂは、複数の回転子スロット１９ａ，１９ｂに挿入され、回転子コア１８の周方向に形成される複数の磁極２０を構成している。周方向に隣り合う磁極２０同士は、互いに異極性となっている。
そして、各磁極２０は、第１実施形態の永久磁石同期電動機装置１に用いられる回転子１２と同様に、一対の永久磁石２１ａ，２１ｂを回転子コアの回転中心に向かってＶ字状に配置して構成されている。
また、各磁極２０を構成する一対の永久磁石２１ａ，２１ｂは、回転子コア１８の軸方向長さと同一の軸方向長さを有し、それぞれの永久磁石２１ａ，２１ｂの軸方向端部が回転子コア１８の軸方向端面に一致するように配置されている。
【００３８】
この第４実施形態の永久磁石同期電動機装置１によれば、回転子コア１８は、回転子コア１８の軸方向両端にある電磁鋼板に、図７及び図８に示すように、回転子コア１８の軸方向両端面１８ａ，１８ｂから突出するように一対の突起部２２ａ，２２ｂを折り曲げ形成してある。そして、回転子コア１８の軸方向両端面１８ａ，１８ｂから突出する一対の突起部２２ａ，２２ｂは、筐体４０内に収納された回路基板３０側及び回路基板３０側と反対側に配置されている。このため、回転子１２が回転すると、回転子コア１８の軸方向両端面１８ａ，１８ｂから突出している一対の突起部２２ａ，２２ｂも回転し、これにより、筐体４０の密閉空間内において空気が適切に攪拌されて、固定子コイル１７の回路基板３０側の固定子コア１４外部近傍に図７の矢印Ｇで示す空気の対流が発生し、また、固定子コイル１７の回路基板３０側と反対側の固定子コア１４外部近傍に図７の矢印Ｉで示す空気の対流が発生することになる。また、筐体４０の密閉空間内において、回路基板３０側の発熱部品の周囲に図７の矢印Ｈで示す空気の対流が発生することになる。
【００３９】
固定子コイル１７の固定子コア１４外部近傍に図７の矢印Ｇで示す空気の対流及び図７の矢印Ｉで示す空気の対流が発生すると、固定子コイル１７の固定子コア１４外部近傍の熱の停滞が回避され、固定子コイル１７の固定子コア１４内部と固定子コア１４外部との間及び固定子コイル１７の周囲とその周囲以外の密閉空間内との間に温度差が生じることを回避することができるとともに、固定子コイル１７を冷却することができる。
また、回路基板３０側の発熱部品の周囲に図７の矢印Ｈで示す空気の対流が発生すると、発熱部品の周囲の熱の停滞が回避され、発熱部品周囲の温度上昇が回避され、発熱部品の周囲にある電解コンデンサなどの電子部品の温度上昇も回避され、発熱部品と発熱部品の周囲にある電解コンデンサなどの電子部品との間及び発熱部品の周囲とその周囲以外の密閉空間内との間に温度差が生じることを回避することができるとともに、発熱部品を冷却することができる。
【００４０】
そして、密閉空間内で対流する空気は、筐体４０内の全般にわたるので、筐体４０を構成するフレーム４１及びブラケット４２の全体から有効に熱を外部へ放散させることができる。
このため、第４実施形態の永久磁石同期電動機装置１においては、回転子コア１８の軸方向両端面１８ａ，１８ｂから突出する一対の突起部２２ａ，２２ｂが冷却ファンと同等の機能を持つので、冷却ファンなどの特別な装置を設けなくても、冷却ファンを設けた場合と同等の機能を有する永久磁石同期電動機装置１を提供することができる。これにより、製造コストの安価な永久磁石同期電動機装置１を提供できる。
【００４１】
なお、回転子コア１８の軸方向両端面１８ａ，１８ｂから突出する一対の突起部２２ａ，２２ｂの形状は、冷却能力に応じて任意に決定することができる。
また、当該突起部２２ａ，２２ｂは、回転子コア１８の軸方向両端面１８ａ，１８ｂから突出する場合に限らず、回転子コア１８の軸方向一端面１８ａのみから突出するか、あるいは回転子コア１８の軸方向他端面１８ｂのみから突出するようにしてもよい。
更に、突起部２２ａは軸方向一端面１８ａにおいて１個形成され、突起部２２ｂは軸方向他端面１８ｂにおいて１個形成されているが、突起部の数は任意であり、冷却能力に応じて決定することができる。
【００４２】
また、各突起部２２ａ，２２ｂの折り曲げ量は、冷却能力に応じて決定され、調整可能であるが、ぞれぞれの機種ごとに折り曲げ量を調整するのは時間がかかる。このため、全ての機種についてひとまず折り曲げ量を一定としておいてから、後に所望量だけ切断することが好ましい。
なお、電磁鋼板は、ＩＥＣやＪＩＳ規格で定められており、所望の電気特性が得られる板厚を選定する。回転子１２を高速で回転する場合には、冷却ファンの機能として電磁鋼板の強度が問題となる。各突起部２２ａ，２２ｂを折り曲げ形成することにより、電磁鋼板の強度が問題になる場合には、折り曲げる電磁鋼板の枚数を増やすことで各突起部２２ａ，２２ｂの厚さを確保して電磁鋼板の強度を増加させることができる。
【００４３】
なお、筐体４０は、第１実施形態の筐体４０と同様に、電動機１０を内部に収納するフレーム４１と、回路基板３０を内部に収納するブラケット４２とを備え、これらフレーム４１及びブラケット４２は、外周部で接合されて、電動機１０及び複数の電子部品３１を実装した回路基板３０を収納する内部を密閉空間としている。このため、回路基板３０及び電動機１０を防塵、防水のために樹脂などでモールドする必要はなく、製造コストを安価にすることができる。
また、各突起部２２ａ，２２ｂの軸方向一端面１８ａ、軸方向他端面１８ｂからの突出量は、大きければ大きいほど空気の対流を促進することができるので、大きい方が好ましい。一方、回転子１２の回転速度が速くなるに従い、風の流れは速くなり空気の対流を促進するので、回転子１２の回転速度を速くすることが好ましいが、回転子１２の回転速度を速くすると、騒音の問題が生じてくる。従って、各突起部２２ａ，２２ｂの軸方向一端面１８ａ、軸方向他端面１８ｂからの突出量を、回転子２の回転速度にあわせて調整することが好ましい。
【００４４】
（まとめ）
以上のように、第１乃至第３実施形態に係る永久磁石同期電動機装置１において、永久磁石同期電動機１０の回転子１２は、回転軸１３に固定される円筒形の回転子コア１８と、回転子コア１８の軸方向に貫通して形成されるとともに、回転子コア１８の周方向に配設された複数の回転子スロット１９ａ，１９ｂと、複数の回転子スロット１９ａ，１９ｂに挿入され、周方向に形成される複数の磁極２０を構成する複数の永久磁石２１ａ，２１ｂとを備え、複数の磁極２０の各々は、一対の永久磁石２１ａ，２１ｂを回転子コア１８の回転中心に向かってＶ字状に配置して構成され、各磁極２０を構成する一対の永久磁石２１ａ，２１ｂは、少なくとも一方の永久磁石２１ａが回転子コア１８の軸方向長さよりも長い軸方向長さを有し、回転子コア１８の軸方向長さよりも長い軸方向長さを有する永久磁石２１ａは、その軸方向端部（第１及び第２実施形態においては軸方向一端部２１ｃ、第３実施形態においては軸方向両端部２１ｃ、２１ｄ）が回転子コアの軸方向端面（第１及び第２実施形態においては軸方向一端面１８ａ、第３実施形態においては軸方向両端面１８ａ，１８ｂ）から突出するよう配置されている。
【００４５】
これにより、回転子コア１８の軸方向端面（第１及び第２実施形態においては軸方向一端面１８ａ、第３実施形態においては軸方向両端面１８ａ，１８ｂ）から突出している少なくとも一方の永久磁石２１ａの軸方向端部（第１及び第２実施形態においては軸方向一端部２１ｃ、第３実施形態においては軸方向両端部２１ｃ、２１ｄ）が冷却ファンと同等の機能を持つので、冷却ファンなどの特別な装置を設けなくても、冷却ファンを設けた場合と同等の機能を有する永久磁石同期電動機１０の回転子２を提供することができる。
また、第１乃至第３実施形態に係る永久磁石同期電動機装置１における永久磁石同期電動機１０の回転子１２においては、一対の永久磁石２１ａ，２１ｂのうち回転子コア１８の軸方向長さよりも長い軸方向長さを有する永久磁石２１ａは、複数の磁極２０間において、回転子コア１８の回転方向Ｒに対して同じ方向に位置している。
【００４６】
このため、回転子コア１８の軸方向端面（第１及び第２実施形態においては軸方向一端面１８ａ、第３実施形態においては軸方向両端面１８ａ，１８ｂ）から少なくとも一方の永久磁石２１ａの軸方向端部（第１及び第２実施形態においては軸方向一端部２１ｃ、第３実施形態においては軸方向両端部２１ｃ、２１ｄ）が突出していても、回転子１２は円滑に回転方向Ｒに回転することができる。
更に、第１及び第２実施形態に係る永久磁石同期電動機装置１における永久磁石同期電動機１０の回転子１２においては、回転子コア１８の軸方向長さよりも長い軸方向長さを有する永久磁石２１ａは、その軸方向一端部２１ｃのみが回転子コア１８の軸方向一端面１８ａのみから突出するよう配置されている．
このため、回転子コア１８の軸方向長さよりも長い軸方向長さを有する永久磁石２１ａの長さを、永久磁石２１ａの軸方向両端部２１ｃ，２１ｄが回転子コア１８の軸方向両端面１８ａ，１８ｂから突出させる場合よりも短くすることができる。これにより、回転子コア１８の軸方向長さよりも長い軸方向長さを有する永久磁石２１ａの製造コストを安価にすることができる。
【００４７】
また、第３実施形態に係る永久磁石同期電動機装置１における永久磁石同期電動機１０の回転子１２においては、回転子コア１８の軸方向長さよりも長い軸方向長さを有する永久磁石２１ａは、その軸方向両端部２１ｃ，２１ｄが回転子コア１８の軸方向両端面１８ａ，１８ｂから突出するよう配置されている。
これにより、回転子コア１８の軸方向長さよりも長い軸方向長さを有する永久磁石２１ａを、その軸方向一端部２１ｃのみが回転子コア１８の軸方向一端面１８ａのみから突出するよう配置する場合よりも、固定子コイル１７の冷却能力を高めることができる。
【００４８】
また、第１乃至第３実施形態に係る永久磁石同期電動機１における永久磁石同期電動機１０の回転子１２においては、回転子コア１８の軸方向長さよりも長い軸方向長さを有する永久磁石は、磁極２０を構成する一対の永久磁石２１ａ，２１ｂのうちの一方の永久磁石２１ａであり、一対の永久磁石２１ａ，２１ｂのうちの他方の永久磁石２１ｂは回転子コア１８の軸方向長さと同一の軸方向長さを有している。
このため、磁極２０を構成する一対の永久磁石２１ａ，２１ｂの双方が回転子コア１８の軸方向長さよりも長い軸方向長さを有する場合よりも、一対の永久磁石２１ａ，２１ｂの製造コストを安価にすることができる。
【００４９】
また、第１乃至第３実施形態に係る永久磁石同期電動機装置１において、永久磁石同期電動機１０は、前述した回転子１２を備えている。
これにより、回転子コア１８の軸方向端面（第１及び第２実施形態においては軸方向一端面１８ａ、第３実施形態においては軸方向両端面１８ａ，１８ｂ）から突出している少なくとも一方の永久磁石２１ａの軸方向端部（第１及び第２実施形態においては軸方向一端部２１ｃ、第３実施形態においては軸方向両端部２１ｃ、２１ｄ）が冷却ファンと同等の機能を持つので、冷却ファンなどの特別な装置を設けなくても、冷却ファンを設けた場合と同等の機能を有する永久磁石同期電動機１０を提供することができる。
【００５０】
更に、第１乃至第３実施形態に係る永久磁石同期電動機装置１は、前述の永久磁石同期電動機１０と、永久磁石同期電動機１０を制御する制御回路を構成する複数の電子部品３１が実装された回路基板３０と、永久磁石同期電動機１０及び回路基板３０を収納する筐体４０とを備えている。
これにより、回転子コア１８の軸方向端面（第１及び第２実施形態においては軸方向一端面１８ａ、第３実施形態においては軸方向両端面１８ａ，１８ｂ）から突出している少なくとも一方の永久磁石２１ａの軸方向端部（第１及び第２実施形態においては軸方向一端部２１ｃ、第３実施形態においては軸方向両端部２１ｃ、２１ｄ）が冷却ファンと同等の機能を持つので、冷却ファンなどの特別な装置を設けなくても、冷却ファンを設けた場合と同等の機能を有する永久磁石同期電動機装置１を提供することができる。
【００５１】
また、第１実施形態に係る永久磁石同期電動機装置１においては、回転子コア１８の軸方向一端面１８ａのみから突出する永久磁石２１ａの軸方向一端部２１ｃは、筐体４０内に収納された回路基板３０側に配置されている。
これにより、回転子コア１８の軸方向一端面１８ａから突出している永久磁石２１ａの軸方向一端部２１ｃが回転した際に、筐体４０の密閉空間内において空気が適切に攪拌されて、固定子コイル１７の回路基板３０側の固定子コア１４外部近傍に空気の対流を発生させるとともに、筐体４０の密閉空間内において、回路基板３０に実装されている発熱部品の周囲に空気の対流を発生させることができる。
【００５２】
また、第２実施形態に係る永久磁石同期電動機装置１においては、回転子コア１８の軸方向一端面１８ａのみから突出する永久磁石２１ａの軸方向一端部２１ｃは、筐体４０内に収納された回路基板３０側と反対側に配置されている。
これにより、回転子コア１８の軸方向一端面１８ａから突出している永久磁石２１ａの軸方向一端部２１ｃが回転した際に、筐体４０の密閉空間内において空気が適切に攪拌されて、固定子コイル１７の、回路基板３０側と反対側の固定子コア１４外部近傍に空気の対流を発生させることができる。
【００５３】
更に、第３実施形態に係る永久磁石同期電動機装置１においては、回転子コア１８の軸方向両端面１８ａ，１８ｂから突出する永久磁石２１ａの軸方向両端部２１ｃ，２１ｄは、筐体４０内に収納された回路基板３０側及び回路基板３０側と反対側に配置されている。
これにより、回転子コア１８の軸方向両端面１８ａ，１８ｂから突出している永久磁石２１ａの軸方向両端部２１ｃ，２１ｄが回転した際に、筐体４０の密閉空間内において空気が適切に攪拌されて、固定子コイル１７の回路基板３０側の固定子コア１４外部近傍に空気の対流を発生させ、固定子コイル１７の回路基板３０側と反対側の固定子コア１４外部近傍に空気の対流を発生させ、更に、筐体４０の密閉空間内において、回路基板３０側の発熱部品の周囲に空気の対流を発生させることができる。
【００５４】
以上、本発明の第１及び第２実施形態について説明してきたが、本発明はこれに限定されずに種々の変更、改良を行うことができる。
例えば、各磁極２０を構成する一対の永久磁石２１ａ，２１ｂのうち一方の永久磁石２１ａのみならず、他方の永久磁石２１ｂも回転子コア１８の軸方向長さよりも長い軸方向長さを有し、その他方の永久磁石２１ｂも、その軸方向端部（軸方向一端部あるいは軸方向両端部）が回転子コア１８の軸方向端面（軸方向一端面１８ａあるいは軸方向両端面２１ａ，２１ｂ）から突出するよう配置されていてもよい。また、他方の永久磁石２１ｂのみが回転子コア１８の軸方向長さよりも長い軸方向長さを有し、その軸方向端部（軸方向一端部あるいは軸方向両端部）が回転子コア１８の軸方向端面（軸方向一端面１８ａあるいは軸方向両端面２１ａ，２１ｂ）から突出するよう配置されていてもよい。
また、永久磁石同期電動機１０の回転子１２においては、一対の永久磁石２１ａ，２１ｂのうち回転子コア１８の軸方向長さよりも長い軸方向長さを有する永久磁石２１ａは、複数の磁極２０間において、回転子コア１８の回転方向Ｒに対して同じ方向に位置していなくてもよい。
【符号の説明】
【００５５】
１  永久磁石同期電動機装置
１０  永久磁石同期電動機
１２  回転子
１３  回転軸
１８  回転子コア
１８ａ  軸方向一端面
１８ｂ  軸方向他端面
１９ａ，１９ｂ  回転子スロット
２０  磁極
２１ａ，２１ｂ  永久磁石
２１ｃ  軸方向一端部
２１ｄ  軸方向他端部
３０  回路基板
３１  電子部品
４０  筐体
Ｒ  回転子コアの回転方向
ＣＬ  回転子コアの回転中心
【図１】
0006464584.tif 000002
【図２】
0006464584.tif 000003
【図３】
0006464584.tif 000004
【図４】
0006464584.tif 000005
【図５】
0006464584.tif 000006
【図６】
0006464584.tif 000007
【図７】
0006464584.tif 000008
【図８】
0006464584.tif 000009